Podtech/llm-jp-corpus-v4-ja_patent huggingface dataset:
(57)【要約】      （修正有）【課題】上下１６０度、左右３６０度、範囲の誤差の無い正確で素早い距離測定ができる測量用反射ターゲットを提供する。【解決手段】測量用反射ターゲットは、誤差の無い正確で素早いレーザー光線測量を、上下１６０度、左右３６０度の範囲に行うため形状を球体、表面はレーザー光線を反射出来るよう加工した。また、凸型球体ターゲットは、球体型測量用反射ターゲットの鉛直中心軸に鉛直棒を付与した。【選択図】図４
0003219250.tif 000002
【実用新案登録請求の範囲】
【請求項１】
レーザー光線測量で周囲、上下１６０度、左右３６０度、範囲の誤差の無い正確で素早い距離測定、測量用反射ターゲットとなる。凸型球体ターゲット。
【請求項２】
凸型球体に鉛直中心軸を作成した凸型球体ターゲット。
【考案の詳細な説明】
【技術分野】
【０００１】
レーザー光線測量用のターゲット。
【背景技術】
【０００２】
現在主に、レーザー光線による測量用の方向目標、及び反射体ターゲットは三面直角コーナープリズムが使用されている。
【先行技術文献】
【特許文献】
【０００３】
【特許文献１】公開番号  ２０１０−０８５２１７
【特許文献２】公開番号  s６１−２７４６３９
【特許文献３】ＵＳ  ＰａｔｎｔｏＮｕｍｂｅｒ５，２０１，１２９
【非特許文献】
【０００４】
【非特許文献１】出願番号  １９９６−０１９４７４
【考案の概要】
【０００５】
レーザー光線測量に、鉛直軸を有する、凸型球体を使用する。
【考案が解決しようとする課題】
【０００６】
主に、レーザー光線測量では反射鏡ターゲットに三面直角コーナープリズムが使用されているが、視準方向に反射鏡を正対させなければ誤差が生じ、時間もかかるのでこれを改良する。
【課題を解決するための手段】
【０００７】
必要点の距離測定は、球体表面と中心の距離が一定であり、表面はレーザー光線の反射が良い白色、又は反射シートとし、トータルステーション側の、シフト量補正、視準補助線の機能を使用し、上下１８０度−約２０度＝約１６０度、左右３６０度角において距離測量、球体鉛直中心軸を（公開番号  Ｓ６１−２７４６３９）等を使用し鉛直棒又は鉛直ひもと一体として使用する。
【考案の効果】
【０００８】
このことによりは、上下１６０度、左右３６０度、範囲の誤差の無い正確で素早い距離測定、測量用反射ターゲットとなる。
【図面の簡単な説明】
【０００９】
【図１】平面図であり外側全周から測定できる。
【００１０】
【図２】正面図であり軸棒部分以外、外側全周から測定できる。
【００１１】
【図３】側面図であり軸棒部分以外、外側全周から測定できる。
【００１２】
【図４】斜視図であり軸棒部分以外、外側全周から測定できる。
【考案を実施するための形態】
【実施例】
【００１３】
球体ターゲット３と測量棒２を鉛直線状に一体とし、測量用レーザー光線によるトータルステーション内の視準補助線７とシフト量設定機能を使用し、球体ターゲット３を中心に補足し４、５,６方向から測定をすれば、素早い正確な測量が出来る。
【産業上の利用可能性】
【００１４】
レーザー光線距離測定用のターゲット。
【符号の説明】
【００１５】
１  測量必要点。
２  鉛直中心軸。
３  球体表面。
４  斜め上からの視準線。
５  横からの視準線。
６  斜め下からの視準線。
７  望遠鏡内視準補助線。
【図１】
0003219250.tif 000003
【図２】
0003219250.tif 000004
【図３】
0003219250.tif 000005
【図４】
0003219250.tif 000006
【手続補正書】
【提出日】平成30年5月17日(2018.5.17)
【手続補正１】
【補正対象書類名】実用新案登録請求の範囲
【補正対象項目名】全文
【補正方法】変更
【補正の内容】
【実用新案登録請求の範囲】
【請求項１】
誤差の無い正確で素早いレーザー光線測量を、上下１６０度、左右３６０度の範囲に行うため形状を球体、表面はレーザー光線を反射出来るよう加工した測量用反射ターゲット。
【請求項２】
球体型測量用反射ターゲットの鉛直中心軸に鉛直棒を付与した凸型球体ターゲット。
(57)【要約】      （修正有）【課題】三味線の棹に対する密着性を高めることで、外れ落ちにくくなり、かつ、高い耐久性を有する上駒を提供する。【解決手段】上駒１０は、略逆Ｕ字を伸延した立体形状であり、上駒１０の頂上部１１に三味線の糸を載せることが出来、外側に広がる弾性を有している。【選択図】図１
0003219201.tif 000002
【実用新案登録請求の範囲】
【請求項１】
三味線で用いる上駒において、
略逆U字を伸延した立体形状であり、
上駒の頂上部に三味線の糸を載せることが可能である
ことを特徴とする上駒。
【請求項２】
前記頂上部に糸を載せる略V字溝が、
少なくとも１つ形成されていることを
特徴とする請求項1に記載の上駒。
【請求項３】
前記頂上部に糸を載せる略U字溝が、
少なくとも１つ形成されていることを
特徴とする請求項1に記載の上駒。
【請求項４】
前記頂上部に糸を載せる略垂直の凹溝が、
少なくとも１つ形成されており、
上駒の長さ方向における前記凹溝の大きさが、
前記糸の幅の大きさとほぼ等しい大きさであることを
特徴とする請求項1に記載の上駒。
【請求項５】
三味線の棹と糸巻付け部との間に
前記上駒が埋着出来る大きさを有する埋着部が設けられており、
前記上駒は外側に広がる弾性を有することを
特徴とする請求項１乃至４のいずれか１つに記載の上駒。
【請求項６】
前記上駒の長さ方向の端部の少なくとも一方に、
側壁が具設されており、
前記側壁は外側に広がる弾性を有していることを
特徴とする請求項１乃至５のいずれか１つに記載の上駒。
【請求項７】
請求項１乃至６のいずれか１つに記載の上駒が埋着されている三味線。
【考案の詳細な説明】
【技術分野】
【０００１】
三味線・三線・胡弓等の弦楽器の上駒に関する。
【考案の概要】
【考案が解決しようとする課題】
【０００２】
従来の弦楽器（三味線・三線・胡弓等）の上駒は、棹に対しての密着性が弱く、棹から外れてしまう虞があった。
また、木・竹・プラスチック・合成樹脂等の素材で作られた上駒の場合には、耐久性が弱く、変形してしまう虞があった。
【課題を解決するための手段】
【０００３】
上記の目的を達成する為、本考案は、略逆U字を伸延した立体形状であり、上駒の頂上部に三味線の糸を載せることが可能である上駒を提供する。
【０００４】
前記頂上部に糸を載せる略V字溝が、少なくとも１つ形成されていることが好ましい。
【０００５】
前記頂上部に糸を載せる略U字溝が、少なくとも１つ形成されていることが好ましい。
【０００６】
前記頂上部に糸を載せる略垂直の凹溝が、少なくとも１つ形成されており、上駒の長さ方向における前記凹溝の大きさが、前記糸の幅の大きさとほぼ等しい大きさであることが好ましい。
【０００７】
三味線の棹と糸巻付け部との間に、前記上駒が埋着出来る大きさを有する埋着部が設けられており、前記上駒は外側に広がる弾性を有することが好ましい。
【０００８】
前記上駒の長さ方向の端部の少なくとも一方に、側壁が具設されており、前記側壁は外側に広がる弾性を有していることが好ましい。
【０００９】
勿論、前記上駒が取り付けられている三味線を提供することも可能である。
【考案の効果】
【００１０】
本考案の上駒は、棹に対しての密着性を高めて、棹から外れにくい構造である。
また、金属製である為、摩耗等による劣化から上駒を守ることが出来る。
【図面の簡単な説明】
【００１１】
【図１】上駒１０の斜視図である。
【図２】上駒１０の側面図である。
【図３】上駒１０Ａの斜視図である。
【図４】上駒１０Ｂの斜視図である。
【図５】上駒１０を三味線に埋着した状況を示す側面図である。
【考案を実施するための形態】
【００１２】
図１は上駒１０の斜視図であり、図２は上駒１０の側面図である。図で示すように、上駒１０は、略逆Ｕ字の平面を伸延した立体形状である。換言すれば、略Ｕ字を伸延した立体形状を逆さまにしたものである。
【００１３】
上駒１０の開口部を下方に向けると、湾曲した部分が上方を向くようになる。図はこの状態を示しており、湾曲した部分の外壁に頂上部１１が形成される。頂上部１１は点ではなく、少なくともラインを形成するものである。この頂上部１１の上に三味線の糸３０を載せることが出来る。
【００１４】
従来の上駒よりも、構造が簡単である為、生産性を向上させ、加工コストを削減することが出来る。
【００１５】
図３は上駒１０Ａの斜視図である。図示しているように、上駒１０Ａの頂上部１１にＶ字溝１２とＵ字溝１３が形成されている。Ｖ字溝１２は、１つでも良く複数個形成されていても良い。同様にＵ字溝１３は、Ｖ字溝１２は、１つでも良く複数個形成されていても良い。勿論、Ｖ字溝１２とＵ字溝１３が合わさっていても良い。
【００１６】
図４は上駒１０Ｂの斜視図である。図示しているように、上駒１０Ｂの頂上部１１に、Ｕ字溝１３と略垂直の凹溝１４が形成されている。略垂直の凹溝は、１つでも良く複数個形成されていても良い。勿論、Ｖ字溝１２とＵ字溝１３と凹溝１４が合わさっていても良い。
【００１７】
Ｖ字溝１２、Ｕ字溝１３、凹溝１４を形作る上で、切削成形をする場合、上駒１０の板厚の大きさにより、孔が開いてしまう場合があるが、機能的に支障はない。上から押圧して成形すると、その力の程度に応じた凹部が形成される。
【００１８】
Ｖ字溝１２、Ｕ字溝１３、凹溝１４を用いることで、弦の振動が棹に伝わりやすくなり、演奏の音質を向上させることが可能である。
【００１９】
図５は上駒１０を三味線に埋着した状況を示す側面図である。図示しているように、三味線の棹２０と糸巻付け部２２との間に上駒が埋着出来る大きさを有する埋着部２２が設けられている。上駒は外側に広がる弾性を有している為、埋着部に上駒を埋着した後における前記上駒の幅方向の長さの大きさが、埋着部に上駒を埋着する前における前記上駒の幅方向の長さの大きさよりも小さくなる。
【００２０】
上駒１０は、弾性を備えていることで密着性を高めることが出来る。金属から出来ている為、耐久性が高くなり、摩耗等による劣化から上駒１０を守ることが出来る。全般的に、本考案の上駒１０は、棹に対しての密着性を高める為、棹から外れにくくなる。
【００２１】
説明文では、三味線を主に挙げているが、三線・胡弓などの絃楽器でも同様のことを行うことが出来る。
【００２２】
図で示すことを省略するが、本考案における略逆Ｕ字とは、逆Ｕ字に近い形も含み、例えば逆Ｖ字や、側壁が略平行で湾曲部の先端が角になっているものも含む。
【符号の説明】
【００２３】
１０…上駒
１１…頂上部
１２…Ｖ字溝
１３…Ｕ字溝
１４…凹溝
２０…棹
２１…埋着部
２２…糸巻付け部
２３…糸巻
３０…糸
【図１】
0003219201.tif 000003
【図２】
0003219201.tif 000004
【図３】
0003219201.tif 000005
【図４】
0003219201.tif 000006
【図５】
0003219201.tif 000007
(57)【要約】 【課題】  囲みの面積が盛り付ける分量の目安になっているので、目盛りを探すことなく、日常盛り付けるように、箸でこんもり囲みの中に盛り付ければ、あらかじめ設定した分量が得られる皿を提供すること。【解決の手段】  同様の栄養素を有する、複数種類の食品が含まれる食品グループ名が複数表示された皿であって、前記食品グループ名ごとに、当該食品グループに含まれる調理済み前記食品を盛り付けるための、囲みが形成され、前記囲みの面積が、あらかじめ設定した熱量を有する分量を盛り付けることが可能な大きさであり、前記囲みが、調理済み前記食品を盛り付ける分量の目安になっている皿。【選択図】  図１
0003219204.tif 000002
【実用新案登録請求の範囲】
【請求項１】
同様の栄養素を有する、複数種類の食品が含まれる食品グループ名が複数表示された皿であって、
前記食品グループ名ごとに、当該食品グループに含まれる調理済み前記食品を盛り付けるための、囲みが形成され、
前記囲みの面積が、あらかじめ設定した熱量を有する分量を盛り付けることが可能な大きさであり、
前記囲みが、調理済み前記食品を盛り付ける分量の目安になっている皿。
【考案の詳細な説明】
【技術分野】
【０００１】
本考案は、皿に関する。
【背景技術】
【０００２】
従来から栄養バランスが良い食事を摂る目的で工夫された食器があるなかで、特許文献１は、調理済み食品を食器の溝にある表示に従って盛り付ければ、目標とする熱量分の調理済み食品を盛り付けることが出来、かつ、食品グループごとに作られたすべての溝に調理済み食品を盛り付けることで、栄養バランスが良い食事を摂取することが出来る食器である。
【先行技術文献】
【特許文献】
【０００３】
【特許文献１】特許第５８９５３２７号
【考案の概要】
【考案が解決しようとする課題】
【０００４】
しかし、特許文献１の食器は、食品グループごとに作られた複数の溝の、どの溝に、どこまで盛り付けるか、該当する溝を探し、盛り付け目標表示の目盛りを探すことが面倒であった。
【課題を解決するための手段】
【０００５】
同様の栄養素を有する、複数種類の食品が含まれる食品グループ名が複数表示された皿であって、前記食品グループ名ごとに、当該食品グループに含まれる調理済み前記食品を盛り付けるための、囲みが形成され、前記囲みの面積が、あらかじめ設定した熱量を有する分量を盛り付けることが可能な大きさであり、前記囲みが、調理済み前記食品を盛り付ける分量の目安になっている皿。
【考案の効果】
【０００６】
本考案によれば、日常盛り付けるように、箸でこんもり囲みの中に盛り付ければ、あらかじめ設定した分量が得られる皿を提供することが出来る。
【０００７】
本考案は、一食に食べるおかずとなる調理済み食品を盛り付けるための皿であって、これに加えて牛乳、ヨーグルトや豆乳など液体食品の分量を表示したマグカップと、飯など糖質食品の分量を表示した食器と、野菜を主とした、熱量の少ない汁物を盛り付けるための汁物椀とを、食器セットとして用いることで、一食分を管理することが出来、これらの食器セットを毎食継続して使うことで、栄養の過不足がない食生活をすることが出来る。
【図面の簡単な説明】
【０００８】
【図１】本考案の実施形態における皿の上面図
【考案を実施するための形態】
【０００９】
本考案の実施形態について、図１は皿の上面である。
【００１０】
皿１は、同様の栄養素を有する、複数種類の食品が含まれる食品グループ名２が複数表示された皿であって、食品グループ名２は、２ａ緑黄色野菜、２ｂ淡色野菜、２ｃ根菜、２ｄ肉・魚・卵・チーズ、２ｅ大豆、２ｆ芋、２ｇ果物である。
【００１１】
食品グループ名２の表示は、文字や絵、彩色である。
【００１２】
食品グループ名２ごとに、当該食品グループに含まれる調理済み前記食品を盛り付けるための、囲み３が形成される。
【００１３】
囲み３は、くぼみ又は縁取りや彩色である。
【００１４】
一食に食べるおかずとなる調理済み前記食品を盛り付ける際は、空いた囲みが無いように、全ての囲みに盛り付ける。
【００１５】
本考案の皿はワンプレートだけでなく、分割しても良い。
【００１６】
本考案の皿にある、囲みの大きさを決めるためには、食品グループごとに、あらかじめ設定した熱量を有する分量の調理済み食品を、例えば、８０キロカロリー分の調理済み食品を、日常盛り付けるように、箸でこんもりと２〜３ｃｍの高さに盛り付ける方法で、盛り付け、その底面の形を記録し、単純化して、それらの平均と出現頻度により囲みの大きさを決定した。
【００１７】
前記で決定した囲みに、前記の方法で盛り付けると、前記熱量を有する分量の、調理済み食品を盛り付けることが出来る。
【００１８】
調理済み食品によって、その底面積が大きいものや小さいものがあるが、多種類の調理済み食品を食べることによって相殺されると考える。
【００１９】
野菜は一日に８０キロカロリー分以上の、重さにすると３５０g以上を摂取することが望ましいことが、「日本人の食事摂取基準」、「日本食品標準成分表」を用いて計算されており、一日３食べるならば、一食には１２０ｇ以上で、これを食品グループごとに分けると緑黄色野菜４０ｇ以上、淡色野菜４０ｇ以上、根菜４０ｇ以上となる。
【００２０】
本考案の皿にある２ａ緑黄色野菜、２ｂ淡色野菜、２ｃ根菜の囲みは、最小限の４０ｇを盛り付ける大きさになっているため、これら三つの野菜を盛り付ける際は、囲みを越えて、食べられるだけ多く盛り付ける。
【００２１】
食品グループ名の中で、２ｃ根菜と、２ｆ芋はと両方とも根の部分だが、その違いは、根菜には糖質が少なく、芋には糖質が多いことによるためである。
【００２２】
本考案の実施例においては、２ｇ果物の囲みは、朝と昼に盛り付けるが、夕食には盛り付けない大きさになっている。
【００２３】
その理由は、果物を一日に朝、昼２回にすることで、果物が小さくならず、満足感のある大きさになるし、一日の活動の始めに果物を食べることが、栄養効果が高いと考えるためである。
【００２４】
果物の囲みの大きさを、一日に３回用に設計することも良い。
【００２５】
本考案の実施例は、厚生労働省「日本人の食事摂取基準」において性別、年齢、身体活動レベルによって示されている栄養量を過不足なく食べることを目標に、設計したものの一例である。
【産業上の利用可能性】
【００２６】
本考案の皿は、利用者が自分に合ったサイズの食器を使うことが出来るよう性別、年齢別、身体活動レベル別に設計することが出来る。
【００２７】
アスリート用、治療食用など、それぞれの栄養計画に応じて設計することが出来る。
【００２８】
毎食の栄養管理のためには、本考案のおかず用の皿に加えて、牛乳やヨーグルト、豆乳など液体食品の分量を表示したマグカップと、飯など糖質食品の分量を表示した食器と、野菜を主とした熱量が少ない汁物用の汁物椀とを、食器セットで利用することが勧められる。
【００２９】
本考案の皿を含む食器セットに、今まで食べている食事や、弁当などを盛り付ければ、食事内容の過不足が分かるので、食生活を見直す効果が期待できる。
【符号の説明】
【００３０】
１  皿
２  食品グループ名
２ａ緑黄色野菜
２ｂ淡色野菜
２ｃ根菜
２ｄ肉・魚・卵・チーズ
２ｅ大豆
２ｆ芋
２ｇ果物
３  囲み
【図１】
0003219204.tif 000003
(57)【要約】【課題】衛生的に使用するため、食材に応じた専用のまな板を容易に識別できるシート状のまな板の提供及び、1枚のまな板において複数の調理対象となる食材の中から任意に一つを選び、その食材専用のまな板として容易に識別できる構造を備えるまな板の提供。【解決手段】本考案のまな板１は、弾性のあるプラスチック（ポリプロピレンなど）の概ね0.5mm〜1mm程の薄いシートを用いて製作する。まな板１の四隅には肉、魚、野菜、果物を形どった切取片２が、打ち抜き加工により形成されており、完全には切り離されないように、それぞれ数か所が微細につながっている。調理対象の食材に応じて切取片２を切り取れば、対象の食材が容易に識別できる模様孔３となるため、誤使用を防止することができる。【選択図】図１
0003219300.tif 000002
【実用新案登録請求の範囲】
【請求項１】
1枚のプラスチックシートから成り、調理対象の食材を示すため図案化された絵柄を打ち抜き加工した切取片を、数か所が微細につながった状態にて形成し、必要に応じて切り取ることができるシート状のまな板。
【請求項２】
請求項１に記載の切取片を切り取ることにより、模様孔を形成し、適用食材が容易に識別できる請求項１に記載のシート状のまな板。
【考案の詳細な説明】
【技術分野】
【０００１】
本考案はプラスチック製のまな板に関するものである。
【背景技術】
【０００２】
一般的にまな板は肉、魚、野菜等をのせ、それら食材を切るために使用される。その際に食中毒を防止するため、こまめに洗浄するなどし、表面を清潔に保ち雑菌の増殖を防ぐ必要がある。その他に食中毒を防ぐ方法として、食材ごとに専用のまな板を用意し使い分けることも有効である。その場合、どの食材用なのか容易に識別できる必要があるが、それを可能とするプラスチック製のまな板は既に市販されている。例えば、食材を形どった模様孔の空いたプラスチックシート製のまな板であり、孔の形でどの食材用か識別が可能である。しかしながら、模様孔はまな板1枚につき1個であるため、使い分けするには食材ごとの模様孔を備えるまな板を、それぞれ用意する必要があるため、製造コストがかかるといったデメリットがある。
【０００３】
一般的なまな板の多くは、成型プラスチックが用いられ、湾曲しない程度の厚みを持ち、乾燥や保管時にフック等に掛ける孔を1個備えている。そのため、その孔から切った食材が落ちるなどの不便さを感じることにもつながっている。
【考案の概要】
【考案が解決しようとする課題】
【０００４】
衛生的に使用するため、食材に応じた専用のまな板を容易に識別できるシート状のまな板の提供及び、まな板の種類を増やすことなく、1種類のまな板において複数の食材の中から任意に一つを選び、専用のまな板として容易に識別できる構造を備えるまな板の提供。
【課題を解決するための手段】
【０００５】
上記の課題を解決するため本考案は、肉、魚、野菜等をそれぞれ形どり、打ち抜き加工を施し形成された切取片を、完全には切り抜かず、数か所が微細につながった状態にてシート状のまな板に形成し、用途に応じてそれら切取片の中の一つを切り取る構造を提供する。
【考案の効果】
【０００６】
本考案のまな板は、切り取ることのできる食材を形どった切取片を複数個備えており、切る食材に応じてその内の一つを切り取ることにより、用途が容易に判別できる上、販売する際に食材ごとの専用のまな板を用意する必要がないため、製造コストを抑えることができる。
【図面の簡単な説明】
【０００７】
【図１】本考案のまな板を示す平面図
【図２】本考案のまな板の切取片を切り取ったことろを示す図
【図３】本考案のまな板をフックに掛けたところを示す図
【図４】数種類の食材を形どった模様孔を1枚のまな板に各1個備える事例を示す図
【考案を実施するための形態】
【０００８】
以下、本考案の形態を図に基づいて説明する。
【実施例】
【０００９】
図１に示すのは本考案のまな板1であって、弾性のあるプラスチック（ポリプロピレンなど）の概ね0.5mm〜1mm程の薄いシートを用いて製作する。まな板1の四隅には肉、魚、野菜、果物等を形どった切取片2が、打ち抜き加工により形成されており、完全には切り離されないように、それぞれ数か所が微細につながっている。そのため、切取片２を切り取らなければ孔の無いまな板として使用することができる。図２の示す通り、切る食材に応じて切取片２を切り取れば、調理対象の食材が容易に識別できる模様孔３となるため、誤使用を防止することができる。四隅に形成する切取片２は必ずしも４つである必要は無く、必要に応じて２つ、あるいは３つとすることもできるが、模様孔として実際に使用することを考えると、四隅の内のいずれかの位置に形成することが望ましい。前記の通り1枚のまな板１に複数の切取片２を設けることにより、使用者が必要に応じて任意に選ぶことができるため、販売の際には図４のように必要な食材分の模様孔を形成したまな板を個別に製作する必要がない。
【００１０】
図３の示す通り、切り抜いた模様孔３は使用後のまな板１をフック４に掛けるための孔として使用できる。
【符号の説明】
【００１１】
１  まな板
２  切取片
３  模様孔
４  フック
【図１】
0003219300.tif 000003
【図２】
0003219300.tif 000004
【図３】
0003219300.tif 000005
【図４】
0003219300.tif 000006
(57)【要約】      （修正有）【課題】穴開き古銭に傷を付けず取り外しが簡単に出来る美観に優れた連結構造を有するストラップを提供する。【解決手段】穴開き古銭１の穴とストラップ３やネックレス、ピアス等を金属製の安全ピンスナップ２によって連結することにより、古銭に連結用の小穴を新たに開けて古銭に傷を付けたり紐で結んだりせず、簡単に古銭の取り外しが出来るようにした。【選択図】図１
0003219259.tif 000002
【実用新案登録請求の範囲】
【請求項１】
穴開き古銭の穴とストラップやネックレス、ピアス等を金属製の安全ピンによって連結することを特徴とする連結構造。
【考案の詳細な説明】
【技術分野】
【０００１】  本考案は、穴開古銭とストラップ、ネックレス、ピアス等との連結方に関する。
【背景技術】
【０００２】  穴開き古銭を使用したストラップやネックレス、ピアス等において、古銭との連結方は古銭に新たに連結用の小穴を開けたり、古銭の既存の穴に紐を通して結んだものがある。
【考案の概要】
【考案が解決しようとする課題】
【０００３】  本物品は、穴開き古銭をストラップやネックレス、ピアス等に取り付けるため、古銭に新たに連結用の小穴を開けて傷を付けたり、取り外しが困難で切れやすい紐で結ぶ連結方があるが、古銭に傷を付けず取り外しが簡単に出来る美観に優れた連結方が求められる。
【課題を解決するための手段】
【０００４】  本考案は上記課題を解決するため、古銭の穴とストラップやネックレス、ピアス等を金属製の安全ピンによって連結することにより、古銭に連結用の小穴を新たに開けて古銭に傷を付けたり紐で結んだりせず、簡単に古銭の取り外しが出来るようにしたものである。
【考案の効果】
【０００５】  古銭に連結用の小穴を開け希少な古銭に傷を付けたり、取り外しが困難で切れ易い紐で結ばず、丈夫な金属製で簡単に古銭の取り外しが出来る意匠性の高い連結方を提供する。
【図面の簡単な説明】
【０００６】
【図１】穴開き古銭とストラップとを安全ピンで連結した正面図である。
【図２】穴開き古銭とストラップとを安全ピンで連結した左側面図である。
【図３】穴開き古銭とストラップとを安全ピンで連結した右側面図である。
【図４】穴開き古銭とストラップとを安全ピンで連結した平面図である。
【図５】穴開き古銭とストラップとを安全ピンで連結した鈴付使用例の正面図である。
【符号の説明】
【０００７】  １  穴開き古銭
２  安全ピン
３  ストラップ
４  鈴
【図１】
0003219259.tif 000003
【図２】
0003219259.tif 000004
【図３】
0003219259.tif 000005
【図４】
0003219259.tif 000006
【図５】
0003219259.tif 000007
【手続補正書】
【提出日】平成30年9月19日(2018.9.19)
【手続補正１】
【補正対象書類名】実用新案登録請求の範囲
【補正対象項目名】全文
【補正方法】変更
【補正の内容】
【実用新案登録請求の範囲】
【請求項１】
穴開き古銭とストラップを金属製の安全ピンスナップによって連結したストラップ。
(57)【要約】【課題】既設配管の改修時、配管の接続を容易に行うことができる改修用アダプターを提供する。【解決手段】円筒状の本体１の外周部分に締付バンド２が設けられる。締付バンド２は、既設継手３のねじ５に円筒状の本体１を外嵌してから、その外周面に締付バンド２を巻付けて縮径させることによって、本体１をねじ５に押圧し接合する。もう一方の配管４は、配管４に本体１を外嵌して、締付バンド２を使って同様の方法にて接合し、既設継手３と配管４を接続することが出来る。改修アダプター６は部品点数が少なく、締付箇所がバンド部の２ヶ所のため、接続作業が容易に行える。【選択図】図１
0003218560.tif 000002
【実用新案登録請求の範囲】
【請求項１】
既設配管の改修時、配管の接合を容易に行うことが出来るよう円筒状の本体の外周部分に締付バンドが設けられていることを特徴とする改修用アダプター
【考案の詳細な説明】
【技術分野】
【０００１】  本考案は、建物の既設配管改修時に使用する作業性に優れた改修用アダプターに関するものである。
【背景技術】
【０００２】  鋳鉄製などの金属製の継手（既設継手）に接合された配管を取り替える際に、継手と配管の接合にはねじが使用されているが、既設継手のねじを外すとねじ山が潰れ、ねじの再利用が困難になることがある。この為、既設配管を撤去するだけでなく、既設継手を含む交換が必要となり、改修が煩雑になっていた。
【考案の概要】
【考案が解決しようとする課題】
【０００３】  鋳鉄製などの金属製の継手では、ねじ部に錆が発生し、取り外す際のねじの損傷につながり易いが、ねじ部の錆発生を長期間に亘って防ぐことは困難である。また、ねじが破損することなく取り外せたとしても、既存継手のねじ山に合う部品を調達することが難しい場合があった。
【課題を解決するための手段】
【０００４】  前記課題を解決するため、本考案の改修用アダプターは、既設継手のねじ部を再利用することなく、既設継手と新設の配管を接続するアダプターであって、既設継手のねじ外径寸法より内径寸法が大きな円筒状の本体と、この円筒状の本体の外周部分に設けられた締付バンドを押圧することによって、継手とアダプターを接合する。また一方の新設配管も同様の構造にてアダプターと接合する構造としたものである。
【考案の効果】
【０００５】  上述の様に、本考案の改修用アダプターは、配管の改修時に既設継手のねじが再利用出来なくても、ねじ部を外嵌して、その外周面を締付バンドで押圧することにより既設継手とアダプターを接合でき、もう一方の新設配管も同様の構造にて接合し、既設継手と新設配管を接続することが出来る為、既設継手の交換が不要になり、配管の改修が容易になるという効果を有している。
【図面の簡単な説明】
【０００６】
【図１】本考案の実施形態を示す改修用アダプターの一部を破断した側面図である。
【図２】本考案の改修用アダプターの構成を示す側面図である。
【考案の実施するための形態】
【０００７】  既設配管改修時に、金属製の継手（既設継手）のねじ部が破損し、再利用できない場合でも、既設継手を交換することなく、最小の部品点数で、新規配管を接続できる
【実施例】
【０００８】  以下、図面に基づき、本考案による実施の形態を説明する。図１は、本考案の実施形態が示されている。図２は、本考案の改修用アダプターの構成を示すものである。【０００９】  先ず本考案の構成について説明する。図２に示すように改修用アダプターは、円筒状の本体１と締付バンド２から構成されている。円筒状の本体１はゴム製であり、内径寸法が接合する既設継手のねじ５や配管４の外径寸法より大きくなっている。締付バンド２は金属製でボルト２ａを締付けることにより、バンドを縮径させることができる。
なお、本考案の目的を達成できる範囲であれば、円筒状の本体１がゴム製としたが、弾性変形する樹脂製であってもよい。【００１０】  次に本考案の効果的な実施形態を図１に基づいて説明する。既設の配管を取り替える際に金属製の継手（既設継手３）のねじ５が破損し、再利用できない場合でも、既設継手３のねじ５に円筒状の本体１を外嵌してから、その外周面に締付バンド２を巻付けて縮径させることによって、本体１をねじ５に押圧し接合する。もう一方の配管４は、配管４に本体１を外嵌して、締付バンド２を使って同様の方法にて接合し、既設継手３と配管４を接続することが出来る。
なおこの時、既設継手３のねじ５と本体１の接触面、配管４と本体１の接触面は接着剤を塗る場合がある。【００１１】  本考案は、前述の既存継手３のねじ５が破損した場合で説明したが、ねじが破損することなく再利用できる場合でも、既存継手３のねじ山に合う部品を探すのが困難な場合がある。その場合でも弾性変形する本体１を使用しているため、既存継手３のねじ外径が変わっても外嵌することができ、多種な継手に使用することができる。
【符号の説明】
【００１２】  １    本体
２    締付バンド
２ａ  ボルト
３    既設継手
４    配管
５    ねじ
６    改修用アダプター
【図１】
0003218560.tif 000003
【図２】
0003218560.tif 000004
(57)【要約】      （修正有）【課題】薄葉紙を使用し巻きバラの手法で花を作る事により軽量、安価に花を楽しめる和紙花を提供する。【解決手段】短冊状の薄葉紙を巻いてバラ様に形成された花冠１及び、薄葉紙で形成された花冠１に付けられた萼３と、薄葉紙で形成された紙縒りで花冠１と萼３を連結し、薄葉紙で形成された花冠１と萼３と紙縒りに巻き付けられた茎４で構成され、薄葉紙の繊維の方向が短冊状の薄葉紙の長手方向と一致する。【選択図】図２
0003218557.tif 000002
【実用新案登録請求の範囲】
【請求項１】
短冊状の薄葉紙を巻いてバラ様に形成された花冠及び、薄葉紙で形成された前期花冠に付けられた萼と、薄葉紙で形成された紙縒りで前期花冠と萼を連結し、薄葉紙で形成された前期花冠と萼と紙縒りに巻き付けられた茎で構成され、前記薄葉紙の繊維の方向が前記短冊状の薄葉紙の長手方向と一致することを特徴とする和紙花。
【考案の詳細な説明】
【技術分野】
【０００１】  本考案は、薄葉紙を使用し、巻きながら薔薇様の造花を作成したものである。
【背景技術】
【０００２】  従来の巻バラはリボン、布を使用していた。
【先行技術文献】
【特許文献】
【０００３】
【特許文献１】特開平７−３１６９０８号公報
【非特許文献】
【考案の概要】
【考案が解決しようとする課題】
【０００４】  リボンや布は作成に時間がかかり、コストも高く大量に作るのが困難で、重量も嵩む点を解決しようとするものである。
【課題を解決するための手段】
【０００５】  上記の課題は、短冊状の薄葉紙を巻いてバラ様に形成された花冠及び、薄葉紙で形成された前期花冠に付けられた萼と、薄葉紙で形成された紙縒りで前期花冠と萼を連結し、薄葉紙で形成された前期花冠と萼と紙縒りに巻き付けられた茎で構成され、前記薄葉紙の繊維の方向が前記短冊状の薄葉紙の長手方向と一致することを特徴とする和紙花により解決される。
【考案の効果】
【０００６】  上述の様に、本考案は紙の繊維方向に留意して薄葉紙を使用していることから、少ない枚数で気軽に花を楽しむことができる。薄葉紙の種類・色・大きさを変えることで、装飾としてもイベントやレセプションに使用でき、レイ・アクセサリーとしても使用できる。廃棄処理も簡便であり、自然素材を使えば有害物質の出る心配がない。安全安価で軽量であり、美しく丈夫な和紙の特徴も表現することができる。
【図面の簡単な説明】
【０００７】
【図１】和紙花の平面図
【図２】和紙花の側面図
【図３】和紙花の背面図
【図４】紙の裁断図
【図５】短冊状の貼り方と各パーツの図
【図６】折り方を示す図
【図７】巻き方を示す図
【図８】花冠底部と萼と紙縒りの止め方を示す図
【図９】茎の巻き方を示す図
【考案を実施するための形態】
【０００８】  本考案は、身近にある薄葉紙を使い繊維の方向で一定の張りと強度を備える花を表現しようとしたもので、使用する薄葉紙は、和紙、お花紙、半紙、またティッシュペーパー、トイレットペーパーなどの素材である。薄葉紙１枚で１輪の花冠と萼と茎の一部を作成することができ、軽量であり安価である。紙縒り・糸・紐で連結することができ、使用目的により茎・葉を薄葉紙のほか麦の穂・竹・枝またワイヤー・造花用テープなどで作り装飾品とする。
【実施例】
【０００９】  以下図面を用いて本考案の和紙花の構造及び作り方を説明する。図１から図３により、本考案の和紙花の構造を示す。例えば図１の平面図に示すように薄葉紙に巻き薔薇様に花冠１が形成される。図２の側面図に示すように花冠の下に萼３と茎４が形成される。図３の背面図に示すように、萼３と茎４が配置される。【００１０】  本考案で用いる薄葉紙の裁断及びパーツの作り方を図４と図５で説明する。図４は一枚の薄葉紙をどのように裁断するかを示している。本考案においては繊維の方向を図４の２に示すように用いる。短冊状のアイウエはそれぞれ花冠の一部を構成する。萼３茎４及び紙縒り５を同様に薄葉紙から切り出す。図５に切り出した各パーツの形状を示す。図５に示すように花冠の一部ア、イ、ウ、エを繊維の方向を長手方向に合わせのりで貼り短冊状に作る。図６から図９により本考案の和紙花の作り方を説明する。短冊状の図６に示すように短冊状の花冠の部分１を外側へ三角に折り端から巻き始め、三角の終わる手前で図７のように外側へ折り返し巻き続ける。この折りながら巻く動作を繰り返す。巻き終わりの部分の紙の端は花冠１の下部で一つにまとめ一度紙縒りで巻き付け縛る。図８のように萼３を花冠の下部へ巻き付け紙縒り５で縛る。図９のように花冠１の根本を整えながら茎４の紙をのりで付けて巻き下ろす。
【符号の説明】
【００１１】１花冠の部分
ア花冠の一部
イ花冠の一部
ウ花冠の一部
エ花冠の一部
２繊維の方向
３萼
４茎
５紙縒り
【図１】
0003218557.tif 000003
【図２】
0003218557.tif 000004
【図３】
0003218557.tif 000005
【図４】
0003218557.tif 000006
【図５】
0003218557.tif 000007
【図６】
0003218557.tif 000008
【図７】
0003218557.tif 000009
【図８】
0003218557.tif 000010
【図９】
0003218557.tif 000011
(57)【要約】      （修正有）【課題】要救助者の有無を屋外から確認できる外灯照明器具を提供する。【解決手段】外灯照明器具１の内部に、要救助者の合図用の色付ＬＥＤランプ２を取付ける。このようにして、要救助者が色付ＬＥＤランプ２を点灯させ点灯状況で救援者が屋外から要救助者の有無を短時間で確認できる。【選択図】図２
0003218540.tif 000002
【実用新案登録請求の範囲】
【請求項１】
外灯照明器具と、要救助者確認用色付ＬＥＤランプの一体構造を特徴とする
【考案の詳細な説明】
【技術分野】
【０００１】この考案は、外灯照明器具と色付ＬＥＤランプの組み合わせ構造に関する
【背景技術】
【０００２】従来、災害時は、要救助者が建物内部に居る場合に救援者は、一軒ずつ建物内部を確認を  する必要があり発見に時間を必要とした
要救助者は、救援者に合図を送る為「見張り」「声」「音」などを出して合図を送って  た
【考案の概要】
【０００３】この考案は、外灯照明器具内部に合図用の色付ＬＥＤランプを取付することにより要救助  者が合図として外灯照明器具内の色付ＬＥＤランプを点灯させ、救援者は色付ＬＥＤラ  ンプの点灯状況で要救助者の有無を屋外から確認可能を課題とする
【課題を解決するための手段】
【０００４】以上の課題を解決する為に、第一考案は外灯照明器具の内部に合図用の色付きＬＥＤラン  プを取付し、点灯状況で要救助者の有無を短時間で確認可能を考案とする
【考案の効果】
【０００５】考案によれば救援者が建物内部の要救助者の有無が屋外から確認可能となり捜索時間が短  縮される
【図面の簡単な説明】
【０００６】
【図１】この考案の実地する組み合わせ部品である
【図２】この考案の実地形態図図１の外灯照明器具内部に色付ＬＥＤランプの取付を行い外部から色付ＬＥＤランプの点  灯状況で要救助者の有無を確認するしくみである
【他の実地形態】
図１の外灯照明器具の種類および色付ＬＥＤランプ取付個数、色、点灯、点滅有無の指定は無いものとする
【符号の説明】
【０００７】１  外灯照明器具    ２  色付ＬＥＤランプ
【図１】
0003218540.tif 000003
【図２】
0003218540.tif 000004
【手続補正書】
【提出日】平成30年8月7日(2018.8.7)
【手続補正１】
【補正対象書類名】実用新案登録請求の範囲
【補正対象項目名】全文
【補正方法】変更
【補正の内容】
【実用新案登録請求の範囲】
【請求項１】
外灯照明器具の内部に、要救助者の合図用のＬＥＤ色付きランプを取付けたことを特徴とする外灯照明器具。
(57)【要約】      （修正有）【課題】本来の目的・用途等も生かし、利用者の諸々のスポーツ技術向上の為の安全を重視した用具となるジグザグポールを提供する。【解決手段】スポーツ指導・活動で利用されているコーナーポイントに設置されるジグザグポールであって、ジグザグポールは、用具全体を緩衝材で作製し、土台とポールで構成される。このように構成することにより、本来の目印や範囲等の用途に加えて諸々の技術向上が可能になる一挙両得の安全運動用具となる。【選択図】図２
0003218539.tif 000002
【実用新案登録請求の範囲】
【請求項１】
諸々のスポーツ指導・活動で利用されているコーナーポイントを、視点・形状を変えて緩衝材（軟性素材）で作製することにより、利用者の諸々の技術の向上を目的とした安全重視を特徴とする（ジグザグ）ポール。
【考案の詳細な説明】
【０００１】本考案は、用具の全体を、緩衝材で作製した（ジグザグ）ポールに関するものである。
【背景技術】
【０００２】諸々のスポーツ指導・活動で利用されているコーナーポイントは、目印やコートの範囲等を示す目的・用途で利用されている。また、類似品は、道路に「片側一車線対面通行区域」を示すポールもある。【０００３】
【特許文献１】判明不可能で省略
【非特許文献１】「株式会社エバニュ−カタログ２０１６、Ｐ．２９」
【考案の概要】
【考案が解決しようとする課題】
【０００４】コーナーポイントの本来の目的・用途は、利用者や指導者のスポーツ活動の目印やコートの範囲等を示す目印で、これ以外の用途として、あまり利用はされておらず、勿体ないと言う感じである。また過って触れて倒したりすると怪我をする危険性もある。従ってこのようなポイントを、目的・用途・形状形を変えて、諸々のスポーツに必要なフットワークや走力等の技術や感覚等の向上を目的として、後述のようにポイント（ジグザグポール）全体を緩衝材で作製することにより、前述の欠点を解決し諸々の技術向上を図るものである。
【課題を解決するための手段】
【０００５】本考案のポールは、用具全体を発泡ポリエチレン等の緩衝材で作製することにより、危険性・恐怖心が払拭され、初心者を含めた利用者も躊躇すること無く意欲的・積極的に利用することが可能になる。そしてこの用具の本来の目的・用途以外に、利用者の諸々の技術向上の為にも大いに効果を発揮し諸問題点も解決している。
【考案の効果】
【０００６】前述の通り、本考案のジグザグポールは、用具全体が軟性素材でなっており、幼稚園児や小学生等の技術的に劣る利用者が、たとえ過った利用をして接触しても怪我をすることは全く考えられない。また過って触れて少々傾いても元に戻る習性の用具に作り上げた。更に、衝撃を与えても壊れることもなく、恐怖心を感じず、意欲的・積極的に取り組むことが可能になる。それまで、硬性素材で作製されて居るポールにや対して、消極的な子供たちも、今ではこのような変化を見せており、その利用の結果、技術・走力等の向上につながり、大会等での成績向上が顕著になろう。また、軟性素材がフロアーを傷つけず室内外利用可能な用具になり、加えてポールと土台が取り外し可能で搬出入・運搬も容易な用具になっている。
【図面の簡単な説明】
【０００７】
【図１】  本考案のジグザグポールの実施例を示す正面図である。
【図２】  本考案のポールの点線部分は、内部を透視した図を含めている全体図である。
【図３】  本考案のポールの、利用方法・実施例の一例である。
【図１】
0003218539.tif 000003
【図２】
0003218539.tif 000004
【図３】
0003218539.tif 000005
【手続補正書】
【提出日】平成30年8月3日(2018.8.3)
【手続補正１】
【補正対象書類名】実用新案登録請求の範囲
【補正対象項目名】全文
【補正方法】変更
【補正の内容】
【実用新案登録請求の範囲】
【請求項１】
スポーツ指導・活動で利用されているコーナーポイントに設置されるジグザグポールであって、前記ジグザグポールは、用具全体を緩衝材で作製し、土台とポールで構成されたことを特徴とするジグザグポール。
(57)【要約】      （修正有）【課題】着脱が簡単な掃除機能つきスリッパカバーであり、底面で塵埃を吸着し、スリッパの上部と底部を覆うので本体は汚れず足音は小音とし着脱が簡単で掃除、洗濯ができる又スリッパ本体の大・小巾の広い狭いにも対応でき、スリッパカバーの底部と別に、スリッパカバー上部甲の色・柄を変えてバリエーションを楽しめ、底面が布で床面も傷まないスリッパカバーを提供する。【解決手段】スリッパ本体２のつま先部５からスリッパ本体２の甲の上部及びスリッパ本体２の底部を覆うスリッパカバー１とスリッパ本体２のかかと部に固定する伸縮性材質で構成される固定部４を備え、スリッパカバー１は固定部４によってスリッパ本体２のかかと部に固定される。【選択図】図１
0003218542.tif 000002
【実用新案登録請求の範囲】
【請求項１】
スリッパのつま先部からスリッパの甲の上部及びスリッパの底部を覆う本体部と前記本体部をスリッパのかかと部に固定する伸縮性材質で、構成される固定部をそなえ前記本体部は布製であるスリッパカバー。
【考案の詳細な説明】
【技術分野】
【０００１】  本考案はスリッパ本体に着脱が簡単なスリッパカバーを付け底面に掃除機能がついたスリッパカバーに関するものである。
【背景技術】
【０００２】  掃除機能つきスリッパカバーが考案されている。
【先行技術文献】
【特許文献】
【０００３】
【特許文献Ｉ】特開平１０−０７−１００１  実開平０７−０２８４０３
【考案の概要】
【考案が解決しようとする課題】
【０００４】  上記のスリッパカバーは着脱不便で歩くとずれる、材質により汚れても洗濯ができないという欠点がある。
【課題を解決するための手段】
【０００５】  本考案はスリッパのつま先部からスリッパの甲の上部及びスリッパの底部を覆う本体部と前記本体部をスリッパのかかと部に固定する伸縮性材質で構成される固底部をそなえ前記本体部は布製であるスリッパカバーに関する。【０００６】  上述のように本考案の着脱が簡単な掃除機能つきスリッパカバーは本体部の底面で塵埃を吸着し、スリッパの甲の上部とスリッパの底部を覆うのでスリッパが汚れず足音は小音となり且つ着脱が簡単で洗濯ができるこのスリッパカバーは、スリッパ本体の大小、巾の広い狭いにも対応できる、スリッパカバー上部甲の部分の布地の色・柄を変えることによりバリエーションを楽しめる。
【図面の簡単な説明】
【０００７】
【図１】  本考案のスリッパカバー１の平面図
【図２】  スリッパカバー１の底面図
【図３】  スリッパカバー１の使用状態の図
【考案を実施するための形態】
【０００８】  スリッパのつま先部からスリッパの甲の上部及びスリッパの底部を覆う本体部とスリッパのかかと部に固定部に固定する伸縮性材質で構成される固定部を備え前記本体部は前記固定部によってスリッパのかかと部に固定される。
【実施例】
【０００９】  図１は本考案のスリッパカバー１の平面図である。
スリッパカバー１はフェルト、フリース、パイル地等の布で構成される本体部２と当該本体部をスリッパのかかと部に固定する伸縮性材質で構成される個定部４からなる、伸縮性部材は巾広のゴム紐を利用できる。【００１０】  本体部２は袋状の形状を有する足入れ部３を備えその足入れ口部３は袋縫としゴム紐を通すかゴムシャーリングとする。
ほつれ易い布はバイアステープでくるむ。
袋部の底面とそれ以外は異なる布で色・柄を選択してもよい。【００１１】  図２は本体部２の底面図である。【００１２】  図３はスリッパにスリッパカバーを装着した使用状態を示す図である
図３に示すようにスリッパカバーは巾広ゴムで構成固定部４によってスリッパのかかと部に固定される。
【符号の説明】
【００１３】１．スリッパカバー本体
２．スリッパ本体
３．足入れ口部
４．固定部
５．つま先部
【図１】
0003218542.tif 000003
【図２】
0003218542.tif 000004
【図３】
0003218542.tif 000005
(57)【要約】      （修正有）【課題】交通標識の規制解除の際、高所作業をなくし地上からの作業にすることができる交通標識マスクを提供する。【解決手段】伸縮式ポール２と伸縮式ポール２の端部に取り付けた、交通標識に合わせて切断されたマスク１と、マスク１に取り付けた２本のぶら下げフック３と、２本のぶら下げフック３の間に取り付けたＵ字リング４と、マスク１の下部に穴を開けて取り付けた固定部品とを有する。【選択図】図１
0003218545.tif 000002
【実用新案登録請求の範囲】
【請求項１】
地面に立って交通標識を隠す作業ができることを特徴とする。
【考案の詳細な説明】
【技術分野】
【０００１】
本発明は交通標識による指示を解除するためのカバーである。地面に居ながらパイプ棒を用いて交通標識を隠せる事により安全で迅速な規制解除できる交通標識マスクに関する。
【背景技術】
【０００２】
従来の交通標識の規制解除は脚立に登り、袋を被せる高所作業が伴い危険を伴うものであった。
【考案の概要】
【考案が解決しようとする課題】
【０００３】
本発明は、交通標識の規制解除の際、高所作業をなくし地上からの作業にすることを課題とする。
【課題を解決するための手段】
【０００４】
上記目的を達成するために、標識のサイズの板を標識にぶら下げて標識を隠すものである。
【考案の効果】
【０００５】
以上の説明から明らかなように、本発明にあっては次に列挙する効果がえられる。
(１) 安全な作業で交通標識を隠せる。
【０００６】
(２)美観が良い。
【図面の簡単な説明】
【０００７】
【図１】本件「交通標識マスク」を取り付ける図面。
【図２】本件「交通標識マスク」を取り付けた図面。
【考案を実施するための形態】
【０００８】
以下、本発明の実施の形態を図に基づいて説明する。
【実施例１】
【０００９】
面図１は本発明の実施をしようとしている全体図であり、図面２は本発明の実施を終えた図面である。軽量発泡プラスチック材（以後マスク）を交通標識合わせて切断し上部に標識にぶら下がるように２本のフックが取り付けてあり、その間にU型リングが取り付け、それに先端にフックの着いた伸縮式ポールで持ち上げて標識にかけるものである。下部には穴が開けてあり、それでマスクをゴムで引っ張り標識の柱にベルトで固定するものである。
【産業上の利用可能性】
【００１０】
本考案交通標識の臨時規制解除際、警察官の安全な作業の助けるになるものである。
【符号の説明】
【００１１】
１  マスク
２  伸縮式ポール
３  ぶら下げフック
４  U型リング
５  固定部品
【図１】
0003218545.tif 000003
【図２】
0003218545.tif 000004
【手続補正書】
【提出日】平成30年8月15日(2018.8.15)
【手続補正１】
【補正対象書類名】実用新案登録請求の範囲
【補正対象項目名】全文
【補正方法】変更
【補正の内容】
【実用新案登録請求の範囲】
【請求項１】
伸縮式ポールと前記伸縮式ポールの端部に取り付けた、交通標識に合わせて切断されたマスクと、前期マスクに取り付けた２本のぶら下げフックと、前記２本のぶら下げフックの間に取り付けたU字リングと、前記マスクの下部に穴を開けて取り付けた固定部品とを有する、交通標識マスク。
(57)【要約】【課題】使用感が良く尿が漏出しにくいコンパクトかつ低コストな（女性用）尿瓶を提供する。【解決手段】上端部から斜め上方に伸びる尿流入管１を有する尿収容器Ａと、片側が該尿流入管１に密接に内接する管体２であり他側には該管体２の延長において外縁が反りを呈する鍔体３が形成されたエラストマー製パッキンＢとの、セットにする。【選択図】図２
0003218548.tif 000002
【実用新案登録請求の範囲】
【請求項１】
上端部から斜め上方に伸びる尿流入管を有する尿収容器と、片側が該尿流入管に密接に内接する管体であり他側には該管体の延長において鍔体が形成されたエラストマー製パッキンとの、セットから成ることを特徴とする尿瓶。
【請求項２】
鍔体の外縁が反りを呈する請求項１記載の尿瓶。
【考案の詳細な説明】
【考案の詳細な説明】
【技術分野】
【０００１】この考案は、女性用もしくは男女兼用の尿瓶に関する。
【背景技術】
【０００２】要介護者や行楽・渋滞時などに必要とされる尿瓶には既に様々な形態のものが市販されていることは周知の通りであるが、特に女性でも排尿が漏れないような、跨がって騎乗できる尿収容器の天井部に設けられたパッキン付き開口部に着脱蓋を設けた基本構造の大型尿瓶も一部実用化されている。
【考案の開示】
【考案が解決しようとする課題】
【０００３】上記の大型尿瓶は排尿が漏れにくいものの、大型でかさ張るために、実際の日常生活で扱いにくかったり、コストがかなり高くなるなどの問題点があった。またその他の在来型のものは、特に女性において尿が漏出やすいのみでなく、漏出しないように無理に押し付けると痛みを伴うから実行が伴わないなどの問題点があった。本考案はかかる問題点を解決することを課題とする。
【課題を解決するための手段】
【０００４】上端部から斜め上方に伸びる尿流入管１を有する尿収容器Ａと、片側が該尿流入管１に密接に内接する管体２であり他側には該管体２の延長において外縁が反りを呈する鍔体３が形成されたエラストマー製パッキンＢとの、セットＡＢにして本考案の尿瓶とする。【０００５】
【０００６】実際の製品には必要に応じ、尿収容器Ａの尿流入管１に被せるキャップ（図示せず）をセットとして用意する。【０００７】尿収容器Ａは、基本的に寝台、床上などの水平面に安定的に載置される在来の尿瓶に類する形態となる。【０００８】エラストマー製パッキンＢは、例えばシリコンゴムのような人体に無害なゴム質から成るものであって、片側は尿流入管１に密着挿入される管体２であると同時に他側の開口部は刀や帽子のいわゆる鍔を大きく広げた形態となっており、かつその外縁部は適度に反るように形成されている。
【考案の効果】
【０００９】本考案はこのような形態の尿瓶であるから、女性が使用するにあたり、尿が漏出しないように当該尿瓶の開口部を強く該当箇所に押し当てても肌に痛みを感じさせることがなく、また騎乗型の大型尿瓶に比べて著しくコンパクトで扱い易く、低コストに出来るという効果がある
【考案を実施するための形態】
【００１０】在来の尿瓶に類する大きさと形状及び材質（ポリエチレン等）の尿収容器Ａの上端部に傾斜した尿流入管１を形成し、これに設けるパッキンＢはその片側の外周が内接するような管体２であって他側の開口部に形成される鍔体３の外縁部は違和感ない程度に若干反らせた形状にしたシリコンエラストマー製にして、両者ＡＢは着脱可能なセット状の商品形態とする。なお本考案はかかる例に限定されるものではない。
【産業上の利用可能性】
【００１１】本考案の尿瓶は使用感が良好でニーズが多く、製作も容易で低コストに量産できるから、産業上の利用可能性は十分にある。
【図面の簡単な説明】
【００１２】
【図１】本考案に用いられるパッキンの見取図
【図２】パッキンを取り付けた本考案尿瓶の見取図
【符号の説明】  １……尿流入管
２……管体
３……鍔体
Ａ……尿収容器
Ｂ……パッキン
【図１】
0003218548.tif 000003
【図２】
0003218548.tif 000004